(57)【要約】【課題】  ベルトの駆動トルクが経時的に急激に増加することなく、ベルトの安定走行を確保することで長期にわたり高品質の安定した定着画像を形成する画像定着装置を提供する。【解決手段】  ヒーターを有する回転可能な定着ヒートローラと前記定着ヒートローラに外接して従動する加圧ベルトと、該加圧ベルトに非回転状態で内接して前記加圧ベルトと同時に前記定着ヒートローラに圧接する加圧パッド、パッドホルダ、及びステーとにより構成された加圧部材と、該加圧部材の前記加圧ベルトとの接触面に位置して配設され、低摩擦シートと潤滑剤供給シートとで構成された摺動部材と、潤滑剤供給部材を備えたガイドとを有し、前記潤滑剤はフッ素オイルとＰＴＦＥからなり、前記フッ素オイルが８４ｗｔ％以下であることを特徴とする。【選択図】  図１
2007187889.tif 000002
【特許請求の範囲】
【請求項１】
ヒーターを有する回転可能な定着ヒートローラと前記定着ヒートローラに外接して従動する加圧ベルトと、該加圧ベルトに非回転状態で内接して前記加圧ベルトと同時に前記定着ヒートローラに圧接する加圧パッド、パッドホルダ、及びステーとにより構成された加圧部材と、該加圧部材の前記加圧ベルトとの接触面に位置して配設され、低摩擦シートと潤滑剤供給シートとで構成された摺動部材と、潤滑剤供給部材を備えたガイドとを有し、前記潤滑剤はフッ素オイルとＰＴＦＥからなり、前記フッ素オイルが８４ｗｔ％以下であることを特徴とする画像定着装置。
【請求項２】
潤滑剤供給部材を備えた複数のガイドを設けたことを特徴とする請求項１記載の画像定着装置。
【請求項３】
ヒーターを有する回転可能な定着ヒートローラと前記定着ヒートローラに外接して従動する加圧ベルトと、該加圧ベルトに非回転状態で内接して前記加圧ベルトと同時に前記定着ヒートローラに圧接する加圧パッド、パッドホルダ、及びステーにより構成された加圧部材と、該加圧部材の前記加圧ベルトとの接触面に位置して配設され、低摩擦シートと潤滑剤供給シートとで構成された摺動部材とを有し、該摺動部材は前記加圧ベルトに内接する接触面を全周に有し、前記潤滑剤はフッ素オイルとＰＴＦＥからなり、前記フッ素オイルが８４ｗｔ％以下であることを特徴とする画像定着装置。
【発明の詳細な説明】
【技術分野】
【０００１】
本発明は、用紙に画像を形成する画像形成装置において、定着用の加圧ベルトを備えた接触加熱定着する定着装置に関する。
【背景技術】
【０００２】
従来この種の画像定着装置においては、駆動式の定着ヒートローラと定着ヒートローラに外接する加圧ベルトと、加圧ベルトに内接し加圧ベルトと同時に定着ヒートローラに圧接する加圧パッドとを備え、加圧ベルトと加圧パッドとの内接部には低摩擦シートを備える。低摩擦シートには潤滑剤が塗布され、加圧パッドと低摩擦シート、及び低摩擦シートと加圧ベルトとの間には潤滑剤が保持されている。また、定着ヒートローラと加圧ベルトとの間にはニップ部が形成され、記録用紙を前記ニップ部を通過させることで未定着トナー像を記録用紙上に定着させる。
【発明の開示】
【発明が解決しようとする課題】
【０００３】
このような従来の画像定着装置においては、加圧ベルトと加圧パッド間に潤滑剤を保持させることにより、初期的にはベルトの駆動トルクを低減させることができる。しかし長時間ベルトを駆動させた場合、潤滑剤が熱及び圧力により経時的に劣化して摩擦力が増加し、ベルトの駆動トルクを増加させる。
【０００４】
本発明の目的は、ベルトの駆動トルクが経時的に急激に増加することなく、ベルトの安定走行を確保することで長期にわたり高品質の安定した定着画像を形成する画像定着装置を提供することである。
【課題を解決するための手段】
【０００５】
本発明は、ヒーターを有する回転可能な定着ヒートローラと前記定着ヒートローラに外接して従動する加圧ベルトと、該加圧ベルトに非回転状態で内接して前記加圧ベルトと同時に前記定着ヒートローラに圧接する加圧パッド、パッドホルダ、及びステーとにより構成された加圧部材と、該加圧部材の前記加圧ベルトとの接触面に位置して配設され、低摩擦シートと潤滑剤供給シートとで構成された摺動部材と、潤滑剤供給部材を備えたガイドとを有し、前記潤滑剤はフッ素オイルとＰＴＦＥからなり、前記フッ素オイルが８４ｗｔ％以下であることを特徴とする。
【０００６】
本発明は、ヒーターを有する回転可能な定着ヒートローラと前記定着ヒートローラに外接して従動する加圧ベルトと、該加圧ベルトに非回転状態で内接して前記加圧ベルトと同時に前記定着ヒートローラに圧接する加圧パッド、パッドホルダ、及びステーにより構成された加圧部材と、該加圧部材の前記加圧ベルトとの接触面に位置して配設され、低摩擦シートと潤滑剤供給シートとで構成された摺動部材とを有し、該摺動部材は前記加圧ベルトに内接する接触面を全周に有し、前記潤滑剤はフッ素オイルとＰＴＦＥからなり、前記フッ素オイルが８４ｗｔ％以下であることを特徴とする。
【発明の効果】
【０００７】
本発明によれば、潤滑剤が長期にわたり涸れることなく、長時間加圧ベルトを駆動させた場合、潤滑剤が熱及び圧力により経時的に劣化して摩擦力が増加し、加圧ベルトの駆動トルクを経時的に急激に増加させる問題を解決することができ、加圧ベルトの安定走行を確保することで長期にわたり高品質の安定した定着画像を形成する画像定着装置の構成を提供することができる。
【発明を実施するための最良の形態】
【０００８】
以下、本発明を図示の実施の形態により詳細に説明する。
【実施例１】
【０００９】
先ず、本発明の画像定着装置の概略について、概略構成を示す図１を用いて説明する。
画像定着装置は、定着ヒートローラ２、加圧ベルト３、入口ガイド１７、ハクリガイド１８、出口ガイド１９、下ケース２０から構成される。定着ヒートローラ２は内部にヒーター１を有しており、この熱によってトナーを溶融する。また定着ヒートローラ２は図示しないギヤによりＡ方向へ回転する。
【００１０】
定着ヒートローラ２の周囲には用紙２２を案内するガイド機能を有する耐熱性の樹脂
で成形された下ケース２０と、定着ヒートローラ２の通紙部に当接して定着ヒートローラ２の表面温度を高精度に検知することでヒーター１の発熱を制御する接触式のサーミスタ２１と、定着ヒートローラ２の表面と隙間を確保して定着後の用紙２２を定着ヒートローラ２から剥離して案内するハクリガイド１８が配置されている。
【００１１】
以上の構成により、未定着トナーが転写された用紙２２は、入口ガイド１７及び下ケース２０のガイドにより矢印Ｂ方向へ搬送され、定着ヒートローラ２と加圧ベルト３に圧接されてトナーが用紙に溶融定着され、ハクリガイド１８により定着ヒートローラ２から剥離されて排出される構成となっている。
【００１２】
次に、本発明における加圧ベルトのハンソウ構成について説明する。
【００１３】
本発明は、ヒーター１を有する回転可能な定着ヒートローラ２と、定着ヒートローラ２に外接して従動する加圧ベルト３と、加圧ベルト３に非回転状態で内接して加圧ベルト３と同時に定着ヒートローラ２に圧接する加圧パッド５、パッドホルダ６、及びステー７により構成された加圧部材４と、加圧部材４の加圧ベルト３との接触面に位置した摺動部材８とを備え、該摺動部材８は低摩擦シート９と潤滑剤供給シート１０で構成されている。
【００１４】
摺動部材８は第１の潤滑剤を供給する加圧部材４の加圧部を有する。さらに、加圧ベルト３の回転方向において加圧ベルト３の引っ張り側に位置し、加圧ベルト３に内接する第２の潤滑剤を供給するための潤滑剤供給部材１１を備えたガイド１２を有する。
【００１５】
第２の潤滑剤の供給個所を設けた理由は、第１の潤滑剤を供給する加圧部材４の加圧部だけでは潤滑剤が熱及び圧力により経時的に劣化するため、他に複数個設けたことにより潤滑剤が長期にわたり涸れることなく、長時間加圧ベルト３を駆動させた場合、摩擦力の増加を抑えることができる。
【００１６】
また、加圧ベルト３に内接するように位置し加圧ベルト３が滑らかに回転するように設けられたガイド１３、１４を備えている。定着ヒートローラ２と加圧ベルト３との間には記録用紙が通過できるニップ部１５が形成されている。
【００１７】
潤滑剤はフッ素オイルとＰＴＦＥからなり、フッ素オイルが８４ｗｔ％以下の構成となっている。
【００１８】
潤滑剤の供給個所は第１の潤滑剤を供給する加圧部材４の加圧部と第２の潤滑剤を供給する加圧ベルト３の回転方向の引っ張り側のガイド１２との２箇所を設けている。
【実施例２】
【００１９】
図２は、本発明の他の実施の形態である画像定着装置の概略構成を示す。図１の構成におけるガイド１３に代えて、加圧ベルト３の回転方向において加圧ベルト３の送り出し側に位置し、加圧ベルト３に内接する第３の潤滑剤を供給するための供給部材１１を備えたガイド１２を有する。
【００２０】
潤滑剤の供給個所は第１の潤滑剤を供給する加圧部材４の加圧部と第２の潤滑剤を供給する加圧ベルト３の回転方向の引っ張り側のガイド１２と、第３の潤滑剤を供給する加圧ベルト３の回転方向の送り出し側のガイド１２の３箇所を設けている。
【実施例３】
【００２１】
図３は本発明のさらに他の実施の形態である画像定着装置の概略構成を示す。図１、２の構成において、潤滑剤の供給部材１１を備えたガイド１２に代えて、摺動部材８の加圧ベルト３に内接する接触面を全周に有する構成となっている。さらに、加圧部材４にガイド１３を２個備えて摺動部材８を加圧ベルト３に内接させている。潤滑剤の供給個所は第１の潤滑剤を供給する加圧部材４の加圧部と加圧ベルト３の内側の全周に設けている。
【図面の簡単な説明】
【００２２】
【図１】本発明の画像定着装置の概略構成を示す説明図である。（実施例１）
【図２】本発明の画像定着装置の概略構成を示す説明図である。（実施例２）
【図３】本発明の画像定着装置の概略構成を示す説明図である。（実施例３）
【符号の説明】
【００２３】
１：ヒーター、２：定着ヒートローラ、３：加圧ベルト、４：加圧部材、５：加圧パッド、６：パッドホルダ、７：ステー、８：摺動部材、９：低摩擦シート、１０：潤滑剤供給シート、１１：潤滑材供給部材、１２，１３，１４：ガイド、１５：ニップ部、１６：潤滑剤、１７：入口ガイド、１８：ハクリガイド、１９：出口ガイド、２０：下ケース、２１：サーミスタ、２２：用紙。
【図１】
2007187889.tif 000003
【図２】
2007187889.tif 000004
【図３】
2007187889.tif 000005